(57)【要約】      （修正有）【課題】通話相手がいなくても、テレビ電話機能付携帯電話の通話体験ができるようにした、テレビ電話機能付携帯電話対向自動応答装置を提供する。【解決手段】システム制御装置１６は、テレビ電話機能付携帯電話端末２８から送信される音声信号を前記通信インターフェース装置１２によって受信し、音声認識装置１４によって認識された音声に対向する音声及び動画像のデータを記憶装置１８から読み出し、その読み出した音声のデータを音声応答装置２０によって音声信号に変換し、又動画像のデータを動画像配信装置２２によって動画像信号に変換して、通信インターフェース装置１２によってテレビ電話機能付携帯電話端末２８に対して送信する。これにより、テレビ電話機能付携帯電話端末２８を所持する利用者Ｘは、通話相手がいなくても仮想会話ができ、通話体験ができることになる。【選択図】  図１
2004158994.tif 000002
【特許請求の範囲】
【請求項１】
送受信手段と、音声信号の音声を認識するための音声認識手段と、テレビ電話機能付携帯電話端末の利用者の音声に対向する音声及び動画像のデータを予め記憶させるための記憶手段と、制御手段と、音声のデータを音声信号に変換するための音声応答手段と、動画像のデータを動画像信号に変換するための動画像配信手段とを備え、前記制御手段が、テレビ電話機能付携帯電話端末から送信される音声信号を前記送受信手段によって受信し、その音声信号の音声を前記音声認識手段によって認識し、その音声に対向する音声及び動画像のデータを前記記憶手段から読み出し、その読み出した音声のデータを前記音声応答手段によって音声信号に変換する一方、その読み出した動画像のデータを前記動画像配信手段によって動画像信号に変換し、その変換された音声信号及び動画像信号を前記送受信手段によって前記テレビ電話機能付携帯電話端末に対して送信することを特徴とするテレビ電話機能付携帯電話対向自動応答装置。
【請求項２】
前記記憶手段に次の会話を継続させるためのアクション音声及びアクション動画像のデータを予め記憶させ、前記テレビ電話機能付携帯電話端末に対する音声信号及び動画像信号の送信に続いて、前記制御手段が、前記記憶手段から前記アクション音声及びアクション動画像のデータを読み出し、当該読み出されたアクション音声のデータを前記音声応答手段によってアクション音声信号に変換する一方、読み出されたアクション動画像のデータを前記動画像配信手段によってアクション動画像信号に変換し、当該変換されたアクション音声信号及びアクション動画像信号を前記送受信手段によって前記テレビ電話機能付携帯電話端末に対して送信することを特徴とする請求項２記載のテレビ電話機能付携帯電話対向自動応答装置。
【請求項３】
入出力手段と、音声信号の音声を認識するための音声認識手段と、テレビ電話機能付携帯電話端末の利用者の音声に対向する音声及び動画像のデータを予め記憶させるための記憶手段と、制御手段と、音声のデータを音声信号に変換するための音声応答手段と、動画像のデータを動画像信号に変換するための動画像配信手段とを備えるものであって、前記テレビ電話機能付携帯電話端末との通信が可能な音声又は動画像を外部に入出力するための通話情報入出力手段を有するテレビ電話端末を備え、前記制御手段が、前記通話情報入出力手段から出力される前記テレビ電話機能付携帯電話端末からの音声信号を前記入出力手段によって検知し、その音声信号の音声を前記音声認識手段によって認識し、その音声に対向する音声及び動画像のデータを前記記憶手段から読み出し、その読み出した音声のデータを前記音声応答手段によって音声信号に変換する一方、その読み出した動画像のデータを前記動画像配信手段によって動画像信号に変換し、その変換された音声信号及び動画像信号を前記入出力手段によって前記通話情報入出力手段に出力することにより、前記変換された音声信号及び動画像信号を前記テレビ電話端末を通じて前記テレビ電話機能付携帯電話端末に対し送信するようにしたことを特徴とするテレビ電話機能付携帯電話対向自動応答装置。
【請求項４】
前記記憶手段に、次の会話を継続させるためのアクション音声及びアクション動画像のデータを予め記憶させ、前記テレビ電話機能付携帯電話端末に対する音声信号及び動画像信号の送信に続いて、送信前記制御手段が、前記記憶手段から前記アクション音声及びアクション動画像のデータを読み出し、その読み出されたアクション音声のデータを前記音声応答手段によってアクション音声信号に変換する一方、読み出されたアクション動画像のデータを前記動画像配信手段によってアクション動画像信号に変換し、その変換されたアクション音声信号及びアクション動画像信号を前記送受信手段によって前記テレビ電話機能付携帯電話端末に対して送信することを特徴とする請求項３記載のテレビ電話機能付携帯電話対向自動応答装置。
【請求項５】
前記テレビ電話機能付携帯電話端末が送信する制御信号を監視するための制御信号監視手段を備え、前記制御手段が、前記テレビ電話機能付携帯電話端末の通話状態を当該制御信号監視手段によって検知するようにしたことを特徴とする請求項３又は請求項４記載のテレビ電話機能付携帯電話対向自動応答装置。
【請求項６】
送受信手段と、
音声信号の音声を認識するための音声認識手段と、
テレビ電話機能付携帯電話端末の利用者の音声に対向する音声及び動画像のデータを予め記憶させるための記憶手段と、
制御手段と、
音声のデータを音声信号に変換するための音声応答手段と、
動画像のデータを動画像信号に変換するための動画像配信手段と
を備えるテレビ電話機能付携帯電話対向自動応答装置の動作方法であって、
前記制御手段が、
前記テレビ電話機能付携帯電話端末から送信される音声信号を前記送受信手段により受信するステップと、
前記送受信手段により受信された音声信号の音声を音声認識手段により認識するステップと、
前記記憶手段から前記音声認識手段により認識される音声に対向する音声及び動画のデータを読み出すステップと、
前記記憶手段から読み出された音声のデータを前記音声応答手段によって音声信号に変換する一方、前記記憶手段から読み出された動画像のデータを前記動画像配信手段によって動画像信号に変換するステップと、
前記変換された音声信号及び動画像信号を前記送受信手段によって前記テレビ電話機能付携帯電話端末に対して送信するステップとを実行することを特徴とするテレビ電話機能付携帯電話対向自動応答装置の動作方法。
【請求項７】
前記記憶手段に、次の会話を継続させるためのアクション音声及びアクション動画像のデータを予め記憶させ、前記テレビ電話機能付携帯電話端末に対する音声信号及び動画像信号の送信に続いて、前記制御手段が、
前記記憶手段から前記アクション音声及びアクション動画像のデータを読み出すステップと、
前記読み出されたアクション音声のデータを前記音声応答手段によってアクション音声信号に変換する一方、前記読み出されたアクション動画像のデータを前記動画像配信手段によってアクション動画像信号に変換するステップと、
前記変換されたアクション音声信号及びアクション動画像信号を前記送受信手段によって前記テレビ電話機能付携帯電話端末に対して送信するステップと
を実行することを特徴とする請求項６記載のテレビ電話機能付携帯電話対向自動応答装置の動作方法。
【発明の詳細な説明】
【０００１】
【発明の属する技術分野】
この発明は、テレビ電話機能付携帯電話端末から送信される音声に対向する音声及び動画像を当該テレビ電話機能付携帯電話端末に対し自動的に送信するためのテレビ電話機能付携帯電話自動応答装置及びその動作方法に関する。
【０００２】
【従来の技術】
近年、通話者の音声とともにその通話者の動画像をも通話相手に送信することができるいわゆる第３世代携帯電話と呼ばれるテレビ電話機能付携帯電話が知られている。このテレビ電話機能付携帯電話の利用者が、通話相手に自己の音声と動画像を送信し、又通話相手の音声と動画像を受信するためには、同様にテレビ電話機能付携帯電話を所持する通話相手が必要となる（例えば、特許文献１参照）。
【０００３】
【特許文献１】
特開平８−１４０１４３号公報（第４頁、第３図）
【０００４】
【発明が解決しようとする課題】
例えば、上記テレビ電話機能付携帯電話の利用を希望する者は、当該テレビ電話機能付携帯電話端末を販売店から購入することになるが、その際、通話体験を試みようとする場合が多い。この場合、前述したように、テレビ電話機能付携帯電話端末を使って通話する者は、テレビ電話機能付携帯電話端末を所持する人（通話相手）と通話しなければならない。従って、販売店においてテレビ電話機能付携帯電話の通話体験をするには、その販売店の店員がその通話相手をしなければならなかった。しかし、店内で通話相手できる店員には限りがあり、又、自ら進んで通話体験を申し出る場合が少なかった。このように、従来は、購入希望者は、購入前にテレビ電話機能付携帯電話の通話体験ができない状態で、購入を決定しなければならないという問題があった。
【０００５】
本発明は、上述の問題を解決するものであって、通話相手がいなくても、テレビ電話機能付携帯電話の通話体験ができるようにした、テレビ電話機能付携帯電話端末からの音声に対向する音声及び動画像を当該テレビ電話機能付携帯電話端末に対して提供するためのテレビ電話機能付携帯電話対向自動応答装置及びその動作方法を提供することを目的とするものである。
【０００６】
【課題を解決するための手段】
本発明のテレビ電話機能付携帯電話対向自動応答装置は、送受信手段と、音声信号の音声を認識するための音声認識手段と、テレビ電話機能付携帯電話端末の利用者の音声に対向する音声及び動画像のデータを予め記憶させるための記憶手段と、制御手段と、音声のデータを音声信号に変換するための音声応答手段と、動画像のデータを動画像信号に変換するための動画像配信手段とを備え、前記制御手段が、テレビ電話機能付携帯電話端末から送信される音声信号を前記送受信手段によって受信し、その音声信号の音声を前記音声認識手段によって認識し、その音声に対向する音声及び動画像のデータを前記記憶手段から読み出し、その読み出した音声のデータを前記音声応答手段によって音声信号に変換する一方、その読み出した動画像のデータを前記動画像配信手段によって動画像信号に変換し、その変換された音声信号及び動画像信号を前記送受信手段によって前記テレビ電話機能付携帯電話端末に対して送信するようにしたものである。
また、本発明は、前記記憶手段に次の会話を継続させるためのアクション音声及びアクション動画像のデータを予め記憶させ、前記テレビ電話機能付携帯電話端末に対する音声信号及び動画像信号の送信に続いて、前記制御手段が、前記記憶手段から前記アクション音声及びアクション動画像のデータを読み出し、当該読み出されたアクション音声のデータを前記音声応答手段によってアクション音声信号に変換する一方、読み出されたアクション動画像のデータを前記動画像配信手段によってアクション動画像信号に変換し、当該変換されたアクション音声信号及びアクション動画像信号を前記送受信手段によって前記テレビ電話機能付携帯電話端末に対して送信するようにしたものである。
【０００７】
他の本発明のテレビ電話機能付携帯電話対向自動応答装置は、入出力手段と、音声信号の音声を認識するための音声認識手段と、テレビ電話機能付携帯電話端末の利用者の音声に対向する音声及び動画像のデータを予め記憶させるための記憶手段と、制御手段と、音声のデータを音声信号に変換するための音声応答手段と、動画像のデータを動画像信号に変換するための動画像配信手段とを備えるものであって、前記テレビ電話機能付携帯電話端末との通信が可能な音声又は動画像を外部に入出力するための通話情報入出力手段を有するテレビ電話端末を備え、前記制御手段が、前記通話情報入出力手段から出力される前記テレビ電話機能付携帯電話端末からの音声信号を前記入出力手段によって検知し、その音声信号の音声を前記音声認識手段によって認識し、その音声に対向する音声及び動画像のデータを前記記憶手段から読み出し、その読み出した音声のデータを前記音声応答手段によって音声信号に変換する一方、その読み出した動画像のデータを前記動画像配信手段によって動画像信号に変換し、その変換された音声信号及び動画像信号を前記入出力手段によって前記通話情報入出力手段に出力することにより、前記変換された音声信号及び動画像信号を前記テレビ電話端末を通じて前記テレビ電話機能付携帯電話端末に対し送信するようにしたものである。
また、他の本発明は、前記記憶手段に、次の会話を継続させるためのアクション音声及びアクション動画像のデータを予め記憶させ、前記テレビ電話機能付携帯電話端末に対する音声信号及び動画像信号の送信に続いて、送信前記制御手段が、前記記憶手段から前記アクション音声及びアクション動画像のデータを読み出し、その読み出されたアクション音声のデータを前記音声応答手段によってアクション音声信号に変換する一方、読み出されたアクション動画像のデータを前記動画像配信手段によってアクション動画像信号に変換し、その変換されたアクション音声信号及びアクション動画像信号を前記送受信手段によって前記テレビ電話機能付携帯電話端末に対して送信するようにしたものである。
さらに、他の本発明は、前記テレビ電話機能付携帯電話端末が送信する制御信号を監視するための制御信号監視手段を備え、前記制御手段が、前記テレビ電話機能付携帯電話端末の通話状態を当該制御信号監視手段によって検知するようにしたものである。
【０００８】
本発明のテレビ電話機能付携帯電話対向自動応答装置の動作方法は、送受信手段と、音声信号の音声を認識するための音声認識手段と、テレビ電話機能付携帯電話端末の利用者の音声に対向する音声及び動画像のデータを予め記憶させるための記憶手段と、制御手段と、音声のデータを音声信号に変換するための音声応答手段と、動画像のデータを動画像信号に変換するための動画像配信手段とを備えるテレビ電話機能付携帯電話対向自動応答装置の動作方法であって、前記制御手段が、前記テレビ電話機能付携帯電話端末から送信される音声信号を前記送受信手段により受信するステップと、前記送受信手段により受信された音声信号の音声を音声認識手段により認識するステップと、前記記憶手段から前記音声認識手段により認識される音声に対向する音声及び動画のデータを読み出すステップと、前記記憶手段から読み出された音声のデータを前記音声応答手段によって音声信号に変換する一方、前記記憶手段から読み出された動画像のデータを前記動画像配信手段によって動画像信号に変換するステップと、前記変換された音声信号及び動画像信号を前記送受信手段によって前記テレビ電話機能付携帯電話端末に対して送信するステップとを実行するようにしたものである。
また、本発明は、前記記憶手段に、次の会話を継続させるためのアクション音声及びアクション動画像のデータを予め記憶させ、前記テレビ電話機能付携帯電話端末に対する音声信号及び動画像信号の送信に続いて、前記制御手段が、前記記憶手段から前記アクション音声及びアクション動画像のデータを読み出すステップと、前記読み出されたアクション音声のデータを前記音声応答手段によってアクション音声信号に変換する一方、前記読み出されたアクション動画像のデータを前記動画像配信手段によってアクション動画像信号に変換するステップと、前記変換されたアクション音声信号及びアクション動画像信号を前記送受信手段によって前記テレビ電話機能付携帯電話端末に対して送信するステップとを実行するようにしたものである。
【０００９】
【発明の第一実施形態】
次に、本発明を図に基づいて説明する。
図１は、本発明のテレビ電話機能付携帯電話対向自動応答装置の構成部を示すブロック図である。テレビ電話機能付携帯電話対向自動応答装置１０は、音信号及び動画像信号の出入力を制御するための送受信手段としての通信インターフェース装置１２と、音声信号の音声を認識するための音声認識手段としての音声認識装置１４と、制御手段としてのシステム制御装置（ＣＰＵ）１６と、音声及び動画のデータを予め記憶させるための記憶手段としての記憶装置１８と、音声データを音声信号に変換するための音声応答手段としての音声応答装置２０と、動画像データを動画像信号に変換するための動画像配信手段としての動画像配信装置２２とを備える。
前記通信インターフェース装置１２は、通信ネットワーク２４又は通信回線２６に接続され、テレビ電話機能付携帯電話端末２８の利用者Ｘは、テレビ電話機能付携帯電話対向自動応答装置１０に対して自己の音声信号及び動画像信号を送信でき又当該自動応答装置１０から送信される音声信号及び動画像信号を受信できる状態にある。
前記音声認識装置１４は、前記通信インターフェース装置１２によって受信される音声信号の音声を認識するためのものであり、この音声認識装置１４によって利用者Ｘの音声が認識されることになる。システム制御装置１６は、テレビ電話機能付携帯電話端末２８との音声信号又は動画像信号の送受信を図示しない制御プログラムに従って実行するものである。なお、前記制御プログラムは前記記憶装置１８又は図示しない他の記憶装置に保存されているものとする。
前記音声応答装置２０は、前記記憶装置１８に記憶されている音声のデータを前記テレビ電話機能付携帯電話端末２８が受信可能な音声信号に変換し生成するためのものである。また、前記動画像配信装置２２は、前記記憶装置１８に記憶されている動画像のデータを前記テレビ電話機能付携帯電話端末２８が受信可能な動画像信号に変換し生成するためのものである。
【００１０】
次に、前記記憶装置に記憶される音声及び動画像のデータを図に基づいて説明する。図２は、前記記憶装置に形成される音声及び動画像のデータが保存されるファイルの内容を示す図である。
音声及び動画像のデータが保存されるファイル３０には、文字列Ａからなる利用者からの音声のデータが予め保存されている。また、文字列Ｂからなる文字列Ａの音声に対向する音声のデータと、その文字列Ｂの各音声に対応する動画Ｂの動画像のデータが保存されている。さらに、利用者Ｘに対し次の会話（応答）を促すための文字列Ｃからなるアクション音声のデータと、その文字列Ｃの各音声に対応する動画Ｃのアクション動画像のデータが保存されている。このように、ファイル３０には、利用者Ｘと会話を成立させるために、利用者Ｘの音声に応答するための音声及び動画のデータや利用者Ｘとの会話を継続させるための音声及び動画のデータが予め保存されている。
【００１１】
また、図２のファイル３０の文字列Ａには、“こんにちは”，“元気”，“７月”，“宇宙飛行士”の音声のデータが保存されている。文字列Ａの音声“こんにちは”に対向する音声として文字列Ｂに
“よろしくね”の音声のデータが保存され、同じく文字列Ａの音声“こんにちは”に対向する動画像として動画Ｂの「おじぎする姿」の動画像のデータが保存されている。また、文字列Ｂの
“よろしくね”の音声に続く、アクション音声として文字列Ｃに“元気かな”の音声のデータが保存され、アクション動画像として動画Ｃの「尋ねる姿」の動画像のデータが保存されている。
そのほか、文字列Ａの“元気”の音声に対向する文字列Ｂの音声“それは良かった”と動画Ｂの動画像「ほっとする表情と胸に手を当てる仕草」の各データ、文字列Ｂの音声“それは良かった”に続く文字列Ｃのアクション音声“何月に生まれたの”と動画Ｃのアクション動画像「尋ねる姿」の各データ、文字列Ａの音声“７月”に対向する文字列Ｂの音声“僕と同じだ”と動画Ｂの動画像「ビックリする表情と両手を挙げる姿」の各データ、文字列Ｂの音声“僕と同じだ”に続く文字列Ｃのアクション音声“将来何になりたいの”と動画Ｃのアクション動画像「尋ねる姿」の各データと、文字列Ａの音声“宇宙飛行士”に対向する文字列Ｂの音声“頑張れよ”と動画Ｂの動画像「ガッツポーズをする姿」の各データとがそれぞれ保存されている。
【００１２】
次に、本発明のテレビ電話機能付携帯電話対応自動応答装置の動作方法を図に基づいて説明する。図３は、テレビ電話機能付携帯電話対応自動応答装置の動作方法を示すフロー図である。図３のフローは、前記システム制御装置１６によって前記記憶装置１８に記憶される制御プログラム従って実行される。また、本実施例では、テレビ電話機能付携帯電話端末２８の利用者Ｘは、本発明のテレビ電話機能付携帯電話自動応答装置１０と接続した後、
“こんにちは”，“元気”，“７月”，“宇宙飛行士”  の順で応答するものとする。
前記システム制御装置１６は、テレビ電話機能付携帯電話端末２８の利用者Ｘの音声“こんにちは”の音声信号を前記通信インターフェース装置１２によって受信し、前記音声認識装置１４に送る（ステップＳ１）。即ち、利用者Ｘの音声が通信インターフェース装置１２を介して音声認識装置に達する。
次に、利用者Ｘの音声“こんにちは”の音声信号を前記音声認識装置１４によって文字列Ａの音声であることを認識する（ステップＳ２）。この認識は、前記音声認識装置１４が当該音声信号から認識する音声のデータと文字列Ａの音声のデータとの照合により行われる。
次に、音声“こんにちは”に対向する利用者Ｘに送出すべき文字列Ｂの音声及び動画Ｂの動画像を読み出す（ステップＳ３）。前記システム制御装置１６は、前記音声認識装置１４が前記ファイル３０を読み込み、利用者Ｘの音声に対向して送出すべき音声及び動画像を決定する。このとき、文字列Ｂから“よろしくね”の音声のデータが、動画Ｂから「おじぎする姿」の動画像のデータがそれぞれ抽出される。また、この抽出された音声のデータは前記音声応答装置２０に対し送られ、一方、動画像のデータは前記動画像配信装置２２に対して送られる。
【００１３】
前記音声応答装置１８によって、“よろしくね”
の音声のデータが音声信号に変換され生成された後、その生成された“よろしくね”の音声信号を前記通信インターフェース装置１２によって、通信ネットワーク２４または通信回線２６を介して、前記テレビ電話機能付携帯電話端末２８（利用者Ｘ）に対し送出（又は送信）する（ステップＳ４）。
また、動画像配信装置２０では、「おじぎをする姿」の動画像のデータが動画像信号に変換され生成された後、当該動画像信号は、前記通信インターフェース装置１２によって、通信ネットワーク２４または通信回線２６を介して、テレビ電話機能付携帯電話端末２８（利用者Ｘ）に対し送出（又は送信）される（ステップＳ５）。
一方、前記通信インターフェース装置１２によって送信された音声信号及び動画像信号を受信したテレビ電話機能付携帯電話端末２８においては、そのモニタ画面に「おじぎをする姿」の通話相手が現われ、その通話相手が利用者Ｘに対して、利用者Ｘの音声“こんにちは”に対向する音声“よろしくね”を応答することになる。
【００１４】
また、前記システム装置１６は、上記文字信号及び動画像信号の送出に続いて、次のアクション音声及びアクション動画像として文字列Ｃの音声及び動画Ｃの動画像を前記記憶装置１８から読み出し、ステップＳ４又はステップＳ５と同様の処理を行う。即ち、文字列Ｃの“元気かな”の音声のデータを前記音声応答装置２０によって音声信号に変換し、前記通信インターフェース装置１２によって、通信ネットワーク２４または通信回線２６を介して、テレビ電話機能付携帯電話端末２８（利用者Ｘ）に対し送出（又は送信）する。また、前記動画像配信装置２０によって、動画Ｃの「尋ねる姿」の動画像のデータを動画像信号に変換し、前記通信インターフェース装置１２によって、通信ネットワーク２４または通信回線２６を介して、テレビ電話機能付携帯電話端末２８（利用者Ｘ）に対し送出（又は送信）する（ステップＳ６）。
このアクション音声及びアクション動画像の送出により、テレビ電話機能付携帯電話端末２８のモニタ画面中の通話相手は、先の「おじぎをする姿」から「尋ねる姿」に動作を変え、利用者Ｘに対して“元気かな？”の音声で利用者Ｘの現在の健康状態を尋ねる。従って、利用者Ｘは、この通話相手の質問に応答するかたちで、当該通話相手との間で引き続き通話即ち会話を継続することになる。
【００１５】
つまり、上記の動作方法によれば、利用者Ｘは、上記会話に続いて、テレビ電話機能付携帯電話対応自動応答装置１０との間で、以下のような会話を実現できることになる。
通話相手の“元気かな？”の問いに、利用者Ｘが、“元気”と答えると、通話相手は、ほっとする表情で胸に手を当てながら“それは良かった”と応答するとともに、“何月に生まれたの？”と誕生月を尋ねる。“７月”と答えると、ビックリする表情をしながら両手を挙げて“僕と同じだ”と応答してくる。そして、“将来は何になりたいの”と夢を尋ねる。これに“宇宙飛行士”と答えると、ガッツポーズをしながら“頑張れよ”と応答してくる。
以上のように、テレビ電話機能付携帯電話端末２８の利用者Ｘは、実際に人を通話相手にしなくてもテレビ電話機能付携帯電話端末２８の通話体験が可能になる。また、前記記憶装置１８に多様な情報（各種ジャンルのコンテンツ）関する会話情報（音声及び動画像のデータ）を保存したファイルを形成することによって、利用者Ｘは、本発明のテレビ電話機能付携帯電話対向自動応答装置１０が登場させる様々な業界の仮想人物を通話相手に選んで、その通話相手とテレビ電話機能付携帯電話端末２８を通じて仮想会話を実現できることになる。たとえば、その仮想人物として、人気漫画のキャラクターや実在の著名タレントなどを登場させることにより、仮想現実の通話体験を楽しむことができる。
【００１６】
なお、前記システム制御装置１６による前記テレビ電話機能付携帯電話端末２８との通話が可能な状態になる時（通話開始時）又はその終了時（通話切断時）の判断は、当該テレビ電話機能付携帯電話端末２８から送信される制御信号を前記通信インターフェース装置１２によって検知することにより行われる。この制御信号は、前記テレビ電話機能付携帯電話端末２８との通信状態（たとえば、当該テレビ電話機能付携帯電話端末２８の通信の開始・終了）を示すものである。従って、前記システム制御装置１６は、この制御信号の検知により、前記テレビ電話機能付携帯電話端末２８との通話の開始を認識した場合に上記会話の処理を実行し、また、通話の終了（切断）を認識した場合は、当該処理の中止を行う。また、前記テレビ電話機能付携帯電話端末２８との通話開始時を認識した後に、通話相手の動画像と音声を前記テレビ電話機能付携帯電話端末２８に対して送信するようにしてもよい。例えば、前記ファイル３０の文字列Ｂ（又は文字列Ｃ）に“こんにちは”などの音声と、その音声に対応する動画Ｂ（又は動画Ｃ）として「手を振る仕草」の動画像を保存し、前記システム制御装置１６が前記テレビ電話機能付携帯電話端末２８との通話開始時を認識した後に、その音声及び動画像を前記テレビ電話機能付携帯電話端末２８に対して送信する。これにより、その利用者Ｘが会話を始める前に、利用者Ｘが利用する前記テレビ電話機能付携帯電話端末２８のモニタ画面中に通話相手の姿を登場させることができ、また、その通話相手の方から先に会話をスタートさせることができる。
【００１７】
次に、前記記憶装置に他のファイルを形成した場合の通話例を図に基づいて説明する。図５は、占いに関する会話を提供するためのファイルを示す図である。図６は、図５のファイルに基づいて行われる利用者との会話例を示すものである。
ファイル３２の文字列Ａには、“こんにちは”，
“＜誕生月＞”，“＜花の名称＞”，“＜動物の名称＞”の音声のデータが保存されている。文字列Ｂには、文字列Ａの音声“こんにちは”に対向する“よろしくね”の音声のデータが保存され、その音声のデータに対応する動画Ｂの「おじぎをする姿」の動画像のデータが保存されている。また、文字列Ａの“＜動物の名称＞”の音声に対向する“君は将来＜職業（例えば、宇宙飛行士など）＞になるかもしれないよ”・“頑張れよ”の音声のデータが保存され、その音声のデータに対応する動画Ｂの「ガッツポーズをする姿」の動画像のデータが保存されている。文字列Ｃには、文字列Ａの    “＜誕生月＞”，“＜花の名称＞”，“＜動物の名称＞”
の各音声を利用者Ｘから導くためのアクション音声として、“何月に生まれたの”，“何の花が好きなのかな”，“動物は何が好きなの”の音声のデータが保存され、それらの音声に対応する動画Ｃに「尋ねる姿」の動画像のデータが保存されている。
なお、本実施例の占いは、「誕生月」をキーワード１とし、「花の名称」をキーワード２とし、「動物の名称」をキーワード３として、これらのキーワードに基づいて、将来の「職業」を占うというものである。
【００１８】
たとえば、前記テレビ電話機能付携帯電話２８の利用者Ｘの誕生月が「７月」であり、好きな花は「ひまわり」、好きな動物は「猫」であるとした場合、利用者Ｘは、前記テレビ電話機能付携帯電話２８を利用して、前記テレビ電話機能付携帯電話対向自動応答装置１０に接続することにより、図６に示す以下の会話を実現しながら占いのサービスが受けられることになる。
最初に、利用者Ｘが、“こんにちは”と話しかけると、おじぎをしながら“よろしくね”と答える占い師がモニタ画面中に現れる。そして、早速占いに入る仕草をしながら“何月に生まれたの？”と尋ねてくる。これに、“７月”と答えると、占い師は続いて“何の花が好きなのかな？”と尋ねてくる。これに、“ひまわり”と答えると、最後に
“動物は何が好きなの？”と尋ねてくる。“猫”と答えると、ガッツポーズをとりながら、占い師が“君は、将来宇宙飛行士になるかもしれないよ。頑張れよ。”と励ます。
以上のように、前記記憶装置１８に各種コンテンツに関する会話情報を保存したファイルを形成することにより、本発明のテレビ電話機能付携帯電話対向自動応答装置１０を、前記テレビ電話機能付携帯電話２４の音声に対向できるコンテンツ提供装置として利用することができることになる。
なお、本実施形態では、ファイル３０，３２として、文字列Ａと、文字列Ｂ及び動画Ｂと、文字列Ｃ及び動画Ｃとを保存するものを例示したが、これに限るものではない。文字列Ａと、文字列Ｂ及び動画Ｂとを保存するものであってもよい。
【００１９】
【発明の第二実施形態】
次に、他の本発明の自動応答装置について、図に基づいて説明する。図７は、他の本発明のテレビ電話機能付携帯電話対向自動応答装置の構成部を示すブロック図である。なお、図７において、図１の参照番号と同一の構成部は、図１の構成部と同一の機能を有するものであるため、その構成部についての説明は省略する。
テレビ電話機能付携帯電話対向自動応答装置３４は、音声及び動画像の入出力手段としての入出力装置３６と、音声信号の音声を認識するための音声認識手段としての音声認識装置１４と、制御手段としてのシステム制御装置（ＣＰＵ）１６と、音声及び動画のデータを予め記憶させるための記憶手段としての記憶装置１８と、音声データを音声信号に変換するための音声応答手段としての音声応答装置２０と、動画像データを動画像信号に変換するための動画像配信手段としての動画像配信装置２２とを備える。即ち、本テレビ電話機能付携帯電話対向自動応答装置３４は、発明の第一実施形態のテレビ電話機能付携帯電話対向自動応答装置１０に比べて、前記通信インターフェース装置１２を備えない、簡単な構造となるものである。
前記入出力装置３６は、外部から音声のデータを入力し又当該本テレビ電話機能付携帯電話対向自動応答装置３４が生成する音声信号及び動画像信号を外部に出力するものである。また、その入力される音声のデータは、当該入出力装置３６によって検知される。即ち、この入出力装置３６は、発明の第一実施形態における前記通信インターフェース装置１２とは異なり、前記テレビ電話機能付携帯電話２８からの音声信号を受信するものではなく、また、本テレビ電話機能付携帯電話対向自動応答装置３４が生成する音声信号及び動画像信号を前記テレビ電話機能付携帯電話２８に対し送信するものではない。
なお、当該入力された音声のデータは、前記システム制御装置１６の指示に従って前記音声認識装置１４に送られる。
【００２０】
また、本発明のテレビ電話機能付携帯電話対応自動応答装置３４は、既知のテレビ電話端末３８を用いて、前記テレビ電話機能付携帯電話端末２８からの音声信号を受信するものである。このテレビ電話端末３８は、前記テレビ電話機能付携帯電話端末２８の通信規格に準拠したタイプのものである。従って、当該テレビ電話端末３８と前記テレビ電話機能付携帯電話端末２８との通話においては、それぞれの通話相手の音声及び動画像を双方の端末３６，２８によって送受信できることになる。
【００２１】
このテレビ電話端末３８は、主に、遠隔監視や複数人のテレビ会議の実施等のために利用され、音声又は動画像を外部に入出力するための通話情報入出力手段としての通話情報入出力装置４０を備えるものである。この通話情報入出力装置４０は、汎用のインターフェース（コード）４２によって本発明のテレビ電話機能付携帯電話対応自動応答装置３４の入出力装置３６に接続されている。
【００２２】
また、前記テレビ電話端末３８の内部には、前記テレビ電話機能付携帯電話端末２８に対し通信ネットワーク２４又は通信回線２６を介して音声信号及び動画像信号を送受信するための通信インターフェース部４４と、音声信号を音声のデータへ変換処理を行うための音声処理部４６と、その動画像信号を動画像のデータへ変換処理するための動画像処理部４８と、制御部（ＣＰＵ）５０とを備える。
前記制御部５０は、前記テレビ電話機能付携帯電話端末２８から送信された音声信号を前記音声処理部３６によって音声のデータに変換し、その音声のデータを前記通話情報入出力装置４０から出力し、汎用のインターフェース４２を通じて、前記入出力装置３６に入力する。また、前記入出力装置３６から出力される音声信号及び動画像信号を前記通話情報入出力装置４０によって入力し、前記通信インターフェース部４４によって前記テレビ電話機能付携帯電話２８に対して送信する。
従って、本発明のテレビ電話機能付携帯電話対向自動応答装置３４は、前記テレビ電話端末３８を介して、前記テレビ電話機能付携帯電話端末２８の音声信号に係る音声のデータを受信でき、また、その音声に対向する音声信号及び動画像信号を前記テレビ電話機能付携帯電話端末２８に対して送信できることになる。即ち、本発明における前記テレビ電話端末３８は、本発明のテレビ電話機能付携帯電話対向自動応答装置３４の送受信手段（前記テレビ電話機能付携帯電話端末２８に対して音声信号又は動画像信号の送受信を行うもの）としての機能を果たすものである。
【００２３】
なお、本実施形態では、前記入出力装置３６には音声のデータのみが入力されるため、前記テレビ電話機能付携帯電話端末２８との通話開始時又は通話終了時を示す制御信号が入力されない。従って、本発明のテレビ電話機能付携帯電話対向自動応答装置３４のシステム制御装置１６では、前記入出力装置３６によって最初に検知される音声のデータの入力時を前記テレビ電話機能付携帯電話端末２８との通話の開始と判断して、図３の処理による図４又は図６の会話処理を開始する。また、通話の終了（切断）の判断については、新たな音声のデータの入力が一定時間前記入出力装置３６によって検知されないときに、その会話処理を中止する。
【００２４】
ここで、発明の第一実施形態のテレビ電話機能付携帯電話対向自動応答装置１０との比較における本発明の効果について述べる。発明の第一実施形態のテレビ電話機能付携帯電話対向自動応答装１０は、通信インターフェース装置１２を備えるものであるため、当該通信インターフェース装置１２に適用するハードウェアおよびソフトウェアを開発する必要があり、相当の費用又は期間を要するという問題がある。しかし、本実施形態のテレビ電話機能付携帯電話対向自動応答装置３４に前記テレビ電話端末３８を前記汎用インターフェース４２を介して接続して備えることにより、前記テレビ電話機能付携帯電話端末２８からの音声に対向する音声信号及び動画像信号を当該テレビ電話機能付携帯電話端末２８に対し送信することができる。従って、前記通信インターフェース装置１２を必要としない。このように、本実施形態のテレビ電話機能付携帯電話対向自動応答装置３４は、前記テレビ電話端末３８を併用するにより、コストの軽減を図ることができるものである。
【００２５】
【発明の第三実施形態】
次に、他の本発明のテレビ電話機能付携帯電話対向自動応答装置について、図に基づいて説明する。図８は、他の本発明のテレビ電話機能付携帯電話対向自動応答装置の構成部を示すブロック図である。なお、図８において、図１又は図２の参照番号と同一の構成部は、図１又は図２の構成部と同一の機能を有するものであるため、その構成部についての説明は省略する。
テレビ電話機能付携帯電話対向自動応答装置５２は、音声及び動画像の入出力手段としての入出力装置３６と、音声信号の音声を認識するための音声認識手段としての音声認識装置１４と、制御手段としてのシステム制御装置（ＣＰＵ）１６と、音声及び動画のデータを予め記憶させるための記憶手段としての記憶装置１８と、音声データを音声信号に変換するための音声応答手段としての音声応答装置２０と、動画像データを動画像信号に変換するための動画像配信手段としての動画像配信装置２２と、制御信号を監視（モニタ）するための制御信号監視手段としての制御信号モニタ装置５４とを備える。従って、本テレビ電話機能付携帯電話対向自動応答装置５２は、前述の発明の第二実施形態で示したテレビ電話機能付携帯電話対向自動応答装置３４に前記制御信号モニタ装置５４を備えるものである。また、本自動応答装置５２の場合も、前記テレビ電話機能付携帯電話対向自動応答装置３４と同様、前記テレビ電話端末３８を用いるものである。
【００２６】
前記制御信号モニタ装置５４は、前記テレビ電話端末３８に対し送信される制御信号をモニタ（監視）するものである。この制御信号は、前記テレビ電話機能付携帯電話端末２８との通信状態（たとえば、当該テレビ電話機能付携帯電話端末２８の通信の開始・終了）を示すものである。本自動応答装置５２の前記システム制御装置１６は、当該制御信号モニタ装置５４によって前記テレビ電話端末３８に対し送信される制御信号を通信回線２６においてモニタし、前記テレビ電話機能付携帯電話端末２８の通信状態を検知することにより、前記テレビ電話機能付携帯電話端末２８との通話の開始又は終了を認識することができる。即ち、発明の第一実施形態のテレビ電話機能付携帯電話対向自動応答装置１０と同様、前記システム制御装置１６は、前記制御信号モニタ装置５４による制御信号の検知により、前記テレビ電話機能付携帯電話端末２８との通話の開始を認識した場合には図３の処理による図４又は図６の会話処理を開始でき、通話の終了（切断）を認識した場合は、当該会話処理を中止することができることになる。また、前記テレビ電話機能付携帯電話端末２８との通話の開始を認識したときに、利用者Ｘが会話する前に通話相手の音声及び動画像を前記テレビ電話機能付携帯電話端末２８に対して送信することができる。
【００２７】
次に、発明の第二実施形態のテレビ電話機能付携帯電話対応自動応答装置と比較した場合の本発明の効果について述べる。発明の第二実施形態のテレビ電話機能付携帯電話対応自動応答装置３４では、前記テレビ電話端末３８から前記入出力装置３６に入力されるものは、前記テレビ電話機能付携帯電話端末２８からの音声信号に係る音声のデータであり、制御信号は入力されない。従って、発明の第二実施形態のテレビ電話機能付携帯電話対応自動応答装置３４のシステム制御装置１６は、前記テレビ電話機能付携帯電話端末２８との通話が開始された状態でも利用者Ｘが会話を始めないと、通話が開始されていることを認識できず、また、利用者Ｘが会話する前に前記テレビ電話機能付携帯電話端末２８に対して通話相手の音声及び動画像を送信できないものであった。本発明のテレビ電話機能付携帯電話対応自動応答装置５２は、前記制御信号モニタ装置５４により、例えば通信回線２６を通過する制御信号をモニタし、通信状態を把握することより、発明の第一実施形態のテレビ電話機能付携帯電話対応自動応答装置１０と同様の通話を利用者Ｘに提供できることになる。
【００２８】
【発明の効果】
以上説明したように、本発明のテレビ電話機能付携帯電話対応自動応答装置は、テレビ電話機能付携帯電話端末に対し、その利用者の音声に対向する音声及び動画像を提供できるものである。従って、本発明によると、テレビ電話機能付携帯電話端末の販売店に来店したお客様は、当該販売店の店員を通話相手にしなくても、当該テレビ電話機能付携帯電話端末による通話体験できることになる。
また、記憶装置に各種のジャンルの会話に関する情報を保存するファイルを形成することにより、テレビ電話機能付携帯電話端末の利用者は、様々な仮想会話を楽しむことが可能となる。
また、テレビ電話端末を併用する他の本発明のテレビ電話機能付携帯電話対向自動応答装置では、簡単な構造とすることができるため、当該装置の価格軽減を図ることができる。
【図面の簡単な説明】
【図１】本発明のテレビ電話機能付携帯電話対向自動応答装置の構成部を示すブロック図である。
【図２】記憶装置に記憶されている音声及び動画像のデータの内容を示す図である。
【図３】本発明のテレビ電話機能付携帯電話対向自動応答装置の動作方法を示す図である。
【図４】テレビ電話機能付携帯電話端末を利用した仮想会話の内容を示す図である。
【図５】記憶装置に記憶されている他の音声及び動画像のデータの内容を示す図である。
【図６】テレビ電話機能付携帯電話端末を利用した他の仮想会話の内容を示す図である。
【図７】他の本発明のテレビ電話機能付携帯電話対向自動応答装置の構成部を示すブロック図である。
【図８】他の本発明のテレビ電話機能付携帯電話対向自動応答装置の構成部を示すブロック図である。
【符号の説明】
１０  テレビ電話機能付携帯電話対応自動応答装置
１２  通信インターフェース装置
１４  音声識別装置
１６  システム制御装置
１８  記憶装置
２０  音声応答装置
２２  動画像配信装置
２４  通信ネットワーク
２６  通信回線
２８  テレビ電話機能付携帯電話端末
３０  ファイル
３２  ファイル
３４  テレビ電話機能付携帯電話対応自動応答装置
３６  入出力装置
３８  テレビ電話端末
４０  通話情報入出力装置
５２  テレビ電話機能付携帯電話対応自動応答装置
５４  制御信号モニタ装置
【図１】
2004158994.tif 000003
【図２】
2004158994.tif 000004
【図３】
2004158994.tif 000005
【図４】
2004158994.tif 000006
【図５】
2004158994.tif 000007
【図６】
2004158994.tif 000008
【図７】
2004158994.tif 000009
【図８】
2004158994.tif 000010